(57)【要約】  【課題】  車載用オーディオ機器等の通常の電気機器に空気清浄機能を持たせることによって、専用の空気清浄器を購入して設置することなくしかも空気清浄効果を得ることができるようにする。  【解決手段】  車載用オーディオ機器の筐体１０の内表面に酸化チタン層２３を形成するとともに、筐体１０の内部の回路基板１１上の所定の位置に紫外線ダイオード１４を実装し、この紫外線ダイオード１４の発生する励起光によって上記酸化チタン層２３を励起して光触媒作用を発現させ、内部の空気を清浄化するとともに、その空気を送風ファン１８、２０によってスリット１７、１９を通して車室内に放出する。【選択図】  図１
2005177196.tif 000002
【特許請求の範囲】
【請求項１】
筐体内に所定の機器または素子を配して成る電気機器において、
前記筐体の内表面であって、少なくとも一部の領域に形成される酸化チタン層と、
前記酸化チタン層に対して励起光を放射する励起光発光手段と、
前記筐体の内外で空気の流通を促す送風手段と、
を具備する電気機器。
【請求項２】
前記励起光発光手段が紫外線発光ダイオードであることを特徴とする請求項１に記載の電気機器。
【請求項３】
前記酸化チタン層の表面に抗菌性金属を固定することを特徴とする請求項１に記載の電気機器。
【請求項４】
前記酸化チタン層の中に抗菌性金属の粉末を分散させることを特徴とする請求項１に記載の電気機器。
【請求項５】
車載用オーディオ機器であって、その筐体の内部に酸化チタン層が形成されることを特徴とする請求項１に記載の電気機器。
【請求項６】
パーソナルコンピュータであって、その筐体の内部に酸化チタン層が形成されることを特徴とする請求項１に記載の電気機器。
【発明の詳細な説明】
【技術分野】
【０００１】
本発明は電気機器に係り、とくに筐体内に所定の機器または素子を配して成る電気機器に関する。
【背景技術】
【０００２】
例えば特開平９−１１８１９８号公報には、吸気口と排気口とを有する本体ケースと、ドアに連動して点灯、消灯するランプと、上記吸気口から車室内空気を吸込むファンと、ファンにより流入する空気に対して集塵、脱臭を行なうフィルタと、駐車中に人の侵入を検知する検知部と、この検知部の出力信号により人の侵入を警報するブザーと、上記ランプ、ファン、ブザーを制御する制御部と、上記ランプ、ファンを操作する操作部と、ファンの運転状態を表示する表示部を配置して構成され、かつ上記本体ケースを車室内天井に設置し、車両の盗難警報機能および一酸化炭素侵入警報機能を備えた車載用空気清浄装置が開示されている。
【０００３】
この装置は、一酸化炭素の検出と盗難警報装置とを組合わせたものであって、一酸化炭素の侵入が検出された場合には、盗難警報を兼用する警報ブザーを発するようになっている。
【０００４】
また特開平１１−１９６８４７号公報には、車両用灰皿に、酸化チタンを含有した光触媒部を設けるとともに、この光触媒部に向けて紫外線を照射する光照射部を設け、光触媒部および光照射部は、開閉自在な蓋部の内面に設けられ、このような光触媒部および光照射部を灰皿の蓋部の内面に設け、灰皿内から上昇した煙が光触媒部により捕捉され、より効果的に悪臭が除去できるようにし、光照射部が備える光源を灰皿の照明用に利用し得るようにし、灰皿内面に付着したタバコのヤニ等からの悪臭を防止するようにした車両用灰皿が開示されている。
【０００５】
また特開２００２−１２６０５５号公報には、空気清浄器の電源プラグを家庭用コンセントに差込み、光源スイッチおよびファンスイッチをＯＮにすると、紫外線ＬＥＤ光源の４８個の紫外線ＬＥＤが発光して紫外線がフィルター枠内のフィルターに照射されるとともに、ファンが回転してフィルターに向けて空気を送り、室内の空気を循環させ、フィルターに紫外線が照射されると、フィルターを構成する不織布シーに塗布された酸化チタンの光触媒作用によってフィルターを通過する空気中の悪臭ガス、有害ガス、微細粒子が吸着除去されて、空気が清浄化されるとともに、紫外線光源である紫外線ＬＥＤが小型で安価であるため、空気清浄器としても小型で軽量かつ安価なものとすることができるようにし、酸化チタンの光触媒作用による空気清浄効果を利用した空気清浄器を小型で軽量かつ安価なものとした空気清浄器が開示されている。
【０００６】
空気中に浮遊している花粉や煙草の煙、悪臭、その他の有害物質や微生物等を除去する空気清浄器には例えば上記特開２００２−１２６０５５号公報や特開平１１−１９６８４７号公報によって開示されているような酸化チタンと紫外線発光装置から成る光触媒作用を利用した装置が提案されている。ここで上記特開２００２−１２６０５５号公報に係る空気清浄器は、専用の機器を購入して設置する必要がある。また後者の特開平１１−１９６８４７号公報は、車両の灰皿のみを対象としており、効果あるいは使用範囲が極めて限定的である。
【特許文献１】特開平９−１１８１９８号公報
【特許文献２】特開平１１−１９６８４７号公報
【特許文献３】特開２００２−１２６０５５号公報
【発明の開示】
【発明が解決しようとする課題】
【０００７】
本願発明の課題は、専用の空気清浄器を用意することなくしかも車室内あるいは部屋の中の空気を清浄化することができるようにした電気機器を提供することである。
【０００８】
本願発明の別の課題は、他の目的に利用される電気機器によって車室内あるいは室内の空気の清浄化を図るようにした電気機器を提供することである。
【０００９】
本願発明のさらに別の課題は、使用範囲が限られて効果が限定的ではなく、広範囲に使用されかつ空気清浄機能を有する電気機器を提供することである。
【００１０】
本願発明の上記の課題および他の課題は、以下に述べる発明の技術的思想およびその実施の形態によって明らかにされる。
【課題を解決するための手段】
【００１１】
本願の主要な発明は、筐体内に所定の機器または素子を配して成る電気機器において、
前記筐体の内表面であって、少なくとも一部の領域に形成される酸化チタン層と、
前記酸化チタン層に対して励起光を放射する励起光発光手段と、
前記筐体の内外で空気の流通を促す送風手段と、
を具備する電気機器に関するものである。
【００１２】
ここで前記励起光発光手段が紫外線発光ダイオードであってよい。また前記酸化チタン層の表面に抗菌性金属を固定してよい。また前記酸化チタン層の中に抗菌性金属の粉末を分散させてよい。また車載用オーディオ機器であって、その筐体の内部に酸化チタン層が形成されてよい。またパーソナルコンピュータであって、その筐体の内部に酸化チタン層が形成されてよい。
【００１３】
本願発明の好ましい態様は、酸化チタンが塗布された筐体と、送風用ファンと、ヒートシンクとを備え、しかも筐体内部に紫外線ＬＥＤを設置した電気機器である。
【００１４】
ここで上記紫外線ＬＥＤを点灯することによって、光と酸化チタンとの光触媒作用を発生させる。また上記光触媒作用によってこの機器が配される車室内あるいは部屋の中の空気を清浄にする機能を持つ電気機器である。また上記光触媒作用によって清浄化された空気を、ファンの作用によってこの機器が配されている車室内あるいは部屋内に排出するようにした電気機器である。
【００１５】
このような態様によると、通常の電気機器に空気清浄機能を持たせることによって、専用の空気清浄機器を購入して設置することなく空気清浄効果を得ることができる。また電気機器が設置されている空間であれば、家屋や車両等の場所をとることもない。
【発明の効果】
【００１６】
本願の主要な発明は、筐体内に所定の機器または素子を配して成る電気機器において、筐体の内表面であって、少なくとも一部の領域に形成される酸化チタン層と、酸化チタン層に対して励起光を放射する励起光発光手段と、筐体の内外で空気の流通を促す送風手段と、を具備するようにしたものである。
【００１７】
従ってこのような電気機器によれば、発光手段が励起光を発光すると、酸化チタン層による光触媒作用によって筐体の内部の空気が清浄化される。そして清浄化された空気が送風手段によって筐体の外部に排出され、この電気機器が配置される雰囲気空気の清浄化に寄与する。
【発明を実施するための最良の形態】
【００１８】
以下本願発明を図示の実施の形態によって説明する。第１の実施の形態は車載用オーディオ機器に関するものである。すなわち車載用オーディオ機器を構成するアンプ／チューナ、ＣＤプレーヤ、ＭＤプレーヤ、ＤＶＤプレーヤ、あるいはカーナビゲーション装置に関するものである。このような車載用オーディオ装置あるいは車載用カーナビゲーション装置は図１および図２に示すような偏平な箱状をなす筐体１０を備える。
【００１９】
この筐体１０の天板を除去して内部を示したのが図１である。筐体１０内にはその底面に沿って回路基板１１が配され、この回路基板１１上には各種の電子部品とともに発熱性素子、例えばＣＰＵを構成するＩＣ１２が実装される。そしてこのＩＣ１２の発生する熱を放散するためにその上部にヒートシンク１３が取付けられる。また回路基板１１上にはその周縁部に沿って紫外線ダイオード１４がマウントされる。
【００２０】
上記筐体１０の一方の側面にはスリット１７から成る送風口が形成されるとともに、このスリット１７と対向するように送風ファン１８が配設されさる。これに対して反対側の側壁部にはスリット１９が形成されるとともに、このスリット１９の内側に送風ファン２０が配設される。
【００２１】
上記筐体１０はいわゆる板金と称される鋼板から構成され、しかもその内表面にはとくに図３に示すように酸化チタン層２３が塗膜によって形成される。なお上記酸化チタン層２３の筐体１０に対す接合強度を高めるために、板金製の筐体１０の内表面に予め前処理層を形成し、その上に上引き層を形成し、さらにその上に光触媒層を形成するとよい。なお下地層としては例えばエポキシ樹脂層が好適に用いられる。またその上に無機系の上塗り層を形成し、その上に酸化チタン層２３を形成するのが好適である。
【００２２】
あるいはまた図３Ｂに示すように、上記酸化チタン層２３のさらに上側に銅の薄膜２４を蒸着等の方法によって形成してもよい。これは銅の薄膜２４による抗菌性を利用するものであるから、あまり厚くする必要はなく、場合によっては部分的に形成するだけでよい。あるいはまた銅を粉末にし、この粉末を酸化チタン層２３の内側に図３Ｃに示すように練り込むようにして酸化チタン層２３の内部に銅を分散させて形成してもよい。
【００２３】
このような車載用オーディオ機器の筐体１０によれば、その回路基板１１上の紫外線ダイオード１４を点灯すると、発生する紫外線が筐体１０の内表面に塗布された酸化チタン層２３を励起して光触媒作用を発現する。従ってこの酸化チタン層２３、すなわち触媒層が電子と正孔を生じ、空気中の酸素と電子が水と正孔にそれぞれ反応する。そして酸化チタン層２３の表面にスーパーオキサイドイオンと水酸化ラジカルの２種類の活性酸素を発生させる。このような活性酸素によって、殺菌作用、抗菌作用、防臭作用、大気浄化作用、水質浄化作用等を発現する。
【００２４】
従って筐体１０内の大気が上記紫外線ダイオード１４によって励起される酸化チタン層２３の触媒作用によって、殺菌作用や抗菌作用、防臭作用、あるいは大気浄化作用を発現する。そして筐体１０のスリット１７、１９の内側に配されているファン１８、２０をそれぞれ回転駆動することによって、上記のような光触媒による殺菌作用あるいは抗菌作用を受けた空気が例えばスリット１９を通して外部に放出される。従ってこのオーディオ機器を備える自動車の車室内に上記の殺菌作用および抗菌作用によって清浄化された大気が放出され、これによって車内の空気の清浄化に寄与する。とくに酸化チタン層２３とともに図３Ｂに示すように銅の薄膜２４を形成するか、図３Ｃに示すように銅の粉末２５を混入しておくことによって、銅によって抗菌作用がさらに高められ、大気浄化の機能がさらに改善される。
【００２５】
このように本実施の形態のカーオーディオ装置は、その筐体１０の内表面に酸化チタンと銅の混合物が塗布された酸化チタン層２３が形成された筐体１０と、この筐体１０内で発生した熱を効率的に排出するために設けられている冷却ファン１８、２０と、所望の機能を達成するために電気・半導体部品を実装した回路基板１１と、半導体部品１２から生ずる熱を効果的に逃がすためのヒートシンク１３と、波長が４００ｎｍ以下の紫外光を発生する紫外線ダイオード１４とを備える。
【００２６】
図１および図２に示す電気機器の電源が投入されると、紫外線ダイオード１４が点灯し、筐体１０の内表面に塗布された酸化チタン層２３と光触媒反応を起す。この結果、筐体１０の内部の空気中に浮遊した花粉、煙草の煙、悪臭、その他の有害物質、微生物等を無害化することができる。また冷却ファン１８、２０が作動することによって、筐体１０の外部から有害物質を含んだ空気を筐体１０内に取入れ、筐体１０内における上記の光触媒作用で無害化し、この筐体１０から排出することができる。
【００２７】
このような機能を持った電気機器が１つしかない状態では大きな空気清浄効果は期待できないが、例えば車両用オーディオ装置を構成するアンプ／チューナ、ＣＤプレーヤ、ＭＤプレーヤ、ＤＶＤプレーヤ、カーナビゲーション装置の総ての筐体１０がこのような機能を持てば、全体として大きな空気清浄効果を発揮できる。
【００２８】
さらに抗菌性がある銅金属を図３Ｂに示すように酸化チタン層２３の表面に固定するか、あるいは図３Ｃに示すように酸化チタン層２３内に粉末として分散させることによって、複合的な効果が得られる。実際に手術室内においてはこのような抗菌性金属を混入した光触媒タイルが用いられている。従って例えば筐体１０自身を銅から構成するとともに、その内表面に酸化チタン層２３を形成しても、同様あるいはそれ以上の空気清浄効果が得られる。また筐体１０の内表面に塗布する酸化チタン層２３に図３Ｃに示すように銅の粉末を練り込んで混ぜてもよい。
【００２９】
図４は別の実施の形態を示している。この実施の形態は本発明をパーソナルコンピュータに応用したものであって、その筐体３０の前面側の開口の部分を覆うようにフロントパネル３１が取付けられ、これによって偏平な直方体状をなす箱体を構成している。そして上記フロントパネル３１の内側にはＣＤドライバ３２とＤＶＤドライバ３３とが取付けられる。また筐体１０の内側であってその上部側には電源ユニット３４が取付けられる。また内部の主回路基板を構成するマザーボード３５上には他の各種の電子部品とともにＣＰＵ３７が取付けられる。このＣＰＵ３７が発熱する熱を放散するために、ＣＰＵ３７上にはさらにヒートシンク３８が取付けられる。
【００３０】
上記マザーボード３５上にはハードディスクドライバ４１、４２が取付けられる。またこのマザーボード３５上には必要に応じて複数のＰＣＩコネクタ５１、５２が実装される
。
【００３１】
また筐体３０のスリット４５の内側には送風ファン４６が配され、スリット４７の内側には送風ファン４８が配され、フロントパネル３１のスリット４９の内側には送風ファン５０が配される。これらの送風ファン４６、４８、５０によって、筐体３０内の空気を流動化している。
【００３２】
しかもここでも筐体３０の内表面およびフロントパネル３１の内表面は、上記第１の実施例と同様に光触媒層を備えている。すなわち筐体３０およびフロントパネル３１の内周面には、図３Ａ、図３Ｂ、あるいは図３Ｃに示すような酸化チタン層２３を形成している。そしてこのような光触媒層を励起するために、マザーボード３５上には必要に応じて紫外線ダイオード５５が実装されている。
【００３３】
従ってこのようなパーソナルコンピュータにおいても、その電源を投入すると紫外線ダイオード５５が紫外光を発生し、この紫外光によって筐体３０あるいはフロントパネル３１の内表面に塗布された光触媒層の光触媒を励起し、これによって触媒作用を発現する。従って内部に存在する空気が殺菌、抗菌、あるいは防臭作用を受けることになり、大気浄化が行なわれる。しかもこのように浄化された空気が、ファン４６、４８、５０によってスリット４５、４７、４９を通して外部との間で流動する。従ってこのようなパーソナルコンピュータが配される部屋の空気を、上記パーソナルコンピュータの大気浄化作用によって浄化することが可能になる。
【００３４】
以上本願発明を図示の実施の形態によって説明したが、本願発明は上記実施の形態によって限定されることなく、本願発明の技術的思想の範囲内において各種の変更が可能である。例えば上記実施の形態は車載用オーディオ機器あるいはパーソナルコンピュータに関するものであるが、本願発明はこれらに限定されることなく、その他各種の電気機器に広く利用可能である。
【産業上の利用可能性】
【００３５】
本願発明は、車載用オーディオ機器やパーソナルコンピュータ等に広く利用可能である
。
【図面の簡単な説明】
【００３６】
【図１】車載用オーディオ機器の天板を取外した状態の筐体の内部構造を示す外観斜視図である。
【図２】同オーディオ機器の内部構造を示す縦断面図である。
【図３】筐体を構成する鋼板の拡大断面図である。
【図４】第２の実施の形態に係るパーソナルコンピュータの縦断面図である。
【符号の説明】
【００３７】
１０‥‥筐体、１１‥‥回路基板、１２‥‥ＩＣ（発熱性素子）、１３‥‥ヒートシンク、１４‥‥紫外線ダイオード、１７‥‥スリット、１８‥‥送風ファン、１９‥‥スリット、２０‥‥送風ファン、２３‥‥酸化チタン層、２４‥‥銅の薄膜、２５‥‥銅の粉末、３０‥‥筐体、３１‥‥フロントパネル、３２‥‥ＣＤドライバ、３３‥‥ＤＶＤドライバ、３４‥‥電源ユニット、３５‥‥マザーボード、３７‥‥ＣＰＵ、３８‥‥ヒートシンク、４１、４２‥‥ハードディスクドライバ、４５‥‥スリット、４６‥‥送風ファン、４７‥‥スリット、４８‥‥送風ファン、４９‥‥スリット、５０‥‥送風ファン、５１、５２‥‥ＰＣＩコネクタ、５５‥‥紫外線ダイオード
【図１】
2005177196.tif 000003
【図２】
2005177196.tif 000004
【図３】
2005177196.tif 000005
【図４】
2005177196.tif 000006